(57)【特許請求の範囲】
【請求項１】
パネル材に貫通形成された貫通孔に挿通材を挿通してなる前記貫通孔と前記挿通材の取合部を被覆するための外装材であって、
前記パネル材の一面側に配設される環状のパネル材側被覆部と、前記パネル材側被覆部の内周側に一端を繋げ前記パネル材側被覆部と交差する方向に突設されるとともに前記パネル材側被覆部の内周に沿って延設された環状の挿通材側被覆部とを備えて形成され、
前記パネル材側被覆部と前記挿通材側被覆部の孔に前記挿通材を挿通して前記取合部を被覆するように構成されており、
略半環状の前記パネル材側被覆部と略半環状の前記挿通材側被覆部からなる一対の外装材片に分割可能に形成され、
且つ、前記一対の外装材片を環状に呈するように組み付けつつ前記孔に前記挿通材を挿通させるように配設した状態で、互いに係合させて前記一対の外装材片の端部同士を接続するための係合部及び／又は係合受部が前記各外装材片の前記パネル材側被覆部の端部に設けられ、
前記孔の中心軸方向一端側で前記パネル材側被覆部側の一方の開口の面積が前記中心軸方向他側で前記挿通材側被覆部側の他方の開口の面積よりも大きく形成されるとともに、
前記他方の開口が前記挿通材の断面視で外周縁によって囲まれた領域の面積と略同等の面積を備えるように形成され、
且つ、一方の前記外装材片の前記挿通材側被覆部の内面には、前記パネル材の前記挿通材に対する交差角度に応じ、前記一方の開口側から前記他方の開口側に向かうに従い漸次中心軸線に近づくように傾斜する傾斜面が設けられ、
前記挿通材が円柱棒状に形成されており、
前記孔の一方の開口が半円同士を所定の長さの直線で結んだ形の長孔状に形成されるとともに、前記直線を備えることによって少なくとも前記一方の外装材片の前記挿通材側被覆部の両端部側に互いに対向する一対の平面部が形成され、
且つ、前記一対の平面部の間隔を前記挿通材の外径と略同等にして形成されていることを特徴とする外装材。
【請求項２】
請求項１記載の外装材において、
前記係合部は前記外装材片の端部から突出する係合片を備え、
前記係合受部は前記外装材片の端部側に形成され、前記係合片を挿通させる係合受孔を備え、
且つ、前記係合部及び前記係合受部には、前記係合受孔に前記係合片を挿通し、前記一対の外装材片を環状に呈するように一体に組み付けるとともに、互いに係止し合う係止部と係止受部を備えて形成されている外装材。
【請求項３】
請求項１または請求項２に記載の外装材において、
前記挿通材の大きさに応じた切断指標が設けられており、
前記切断指標を指標にして切断することにより前記孔の大きさを前記挿通材の大きさに自在に合わせられるように構成されている外装材。
【請求項４】
パネル材に貫通形成された貫通孔に挿通材を挿通する挿通材設置工程と、
前記パネル材の一方の面側の前記パネル材と前記挿通材の取合部をシーリング処理して、前記貫通孔の周端部と前記挿通材の外面の間の隙間を閉塞させるシーリング処理工程と、
請求項１から請求項３のいずれか一項に記載の外装材を取り付けて、前記パネル材の他方の面側の取合部を被覆する外装材設置工程とを備えていることを特徴とするパネル材と挿通材の取合部の施工方法。
【請求項５】
パネル材に貫通形成された貫通孔に挿通材を挿通してなる前記貫通孔と前記挿通材の取合部の構造であって、
前記パネル材の他面側の取合部の前記貫通孔の周端部と前記挿通材の外面の間の隙間を閉塞させるシーリング部と、
前記パネル材の一面側の取合部を被覆する請求項１から請求項３のいずれか一項に記載の外装材とを備えて構成されていることを特徴とするパネル材と挿通材の取合部構造。
【請求項６】
複数の支柱と、前記支柱の上端部に接続して架設される梁と、前記支柱及び前記梁に支持され、格子状に組み付けられる母屋及び垂木と、前記垂木に支持されて屋根面を形成するパネル材とを備え、建物本体の外部に設けられる建物外部構築物であって、
前記パネル材に貫通形成された貫通孔に挿通材が挿通され、
前記貫通孔と前記挿通材の取合部に請求項１から請求項３のいずれか一項に記載の外装材を取り付け、該外装材によって前記取合部を被覆して構成されていることを特徴とする建物外部構築物。
【発明の詳細な説明】
【技術分野】
【０００１】
本発明は、屋根パネルなどのパネル材と、このパネル材を貫通して設置される竪樋などの挿通材との取合部を被覆する外装材、パネル材と挿通材の取合部の施工方法、パネル材と挿通材の取合部構造及び建物外部構築物に関する。
【背景技術】
【０００２】
住宅や店舗などの建物の多機能化を図り、利便性、快適性を向上させることができるという大きな利点を有することから、サンルームやテラス、バルコニーなどのガーデンルームタイプの建物外部構築物や、カーポート、自転車置き場、オープンテラス、物置、通路等のサイドスルータイプの建物外部構築物を住宅などの建物本体の外部に構築（設置、増築）するケースが増大している。
【０００３】
そして、この種の建物外部構築物Ａには、例えば、住宅などの建物本体Ｔの外壁Ｔ１との間に所定の間隔をあけて、且つ外壁Ｔ１に沿う方向にも所定の間隔をあけて複数の支柱１を立設するとともに支柱１の上端部に接続して桁梁（梁）２を架設し、これら支柱１と桁梁２で屋根部３を支持して構成したものがある（図１参照）。
【０００４】
また、屋根部３は、建物本体Ｔの外壁Ｔ１に水平に設置される垂木掛け４と、垂木掛け４に後端を接続し、桁梁２や母屋７に支持させて前後方向Ｓ１に延設され、且つ外壁Ｔ１に沿う横方向Ｓ２に所定の間隔をあけて並設される複数の垂木５と、垂木５に支持されて屋根面を形成する屋根パネル６とを備えて構成されている（例えば、特許文献１、特許文献２参照）。また、一般にこの種の建物外部構築物Ａの屋根部３（屋根パネル６）は傾斜して形成される。
【先行技術文献】
【特許文献】
【０００５】
【特許文献１】特開２００７−２４７１７６号公報
【特許文献２】特開２００２−２２７４３８号公報
【発明の概要】
【発明が解決しようとする課題】
【０００６】
一方、建物外部構築物を住宅などの建物本体に隣接して構築する場合など、建物本体に予め設置された雨樋の竪樋が建物外部構築物に干渉する場合がある。そして、通常、既設の雨樋を避けるように建物外部構築物を構築するが、避けることができない場合も多々ある。
【０００７】
このような竪樋８を避けることができない場合には、図１６（及び図１）に示すように、建物外部構築物Ａの屋根パネル６に貫通孔９を貫通形成し、竪樋８を屋根パネル６に挿通させるようにして建物外部構築物Ａを構築している。また、このとき、屋根パネル６の上方側から竪樋８の外面８ａと貫通孔９の周端部９ａの間の隙間をシーリング処理し、この部分から雨水などが浸入し漏水が発生することがないようにしている。
【０００８】
しかしながら、屋根パネル６と貫通孔９に挿通した竪樋８との取合部１０を内側から臨むと、貫通孔９の周端部９ａが露出し、見栄えが悪いという問題がある。
【０００９】
また、一般に屋根部３が傾斜しているため、断面円形の竪樋８を挿通するためには屋根パネル６に楕円形の貫通孔９をあける必要が生じる。そして、このような楕円形の貫通孔９はくり抜き精度を確保することが難しく、貫通孔９の周端部９ａと竪樋８の外面８ａとの間に大きな隙間が生じ、さらに見栄えが悪くなるという問題がある。
【００１０】
また、貫通孔９の周端部９ａと竪樋８の外面８ａとの間からシーリング材（シーリング部）が見え、このシーリング跡によってさらに見栄えが悪くなることもある。
【００１１】
本発明は、上記事情に鑑み、屋根パネルと竪樋など、パネル材とこのパネル材を貫通して設置する挿通材との取合部の見栄えをよくする外装材、パネル材と挿通材の取合部の施工方法、パネル材と挿通材の取合部構造及び建物外部構築物を提供することを目的とする。
【課題を解決するための手段】
【００１２】
上記の目的を達するために、この発明は以下の手段を提供している。
【００１３】
本発明の外装材は、パネル材に貫通形成された貫通孔に挿通材を挿通してなる前記貫通孔と前記挿通材の取合部を被覆するための外装材であって、前記パネル材の一面側に配設される環状のパネル材側被覆部と、前記パネル材側被覆部の内周側に一端を繋げ前記パネル材側被覆部と交差する方向に突設されるとともに前記パネル材側被覆部の内周に沿って延設された環状の挿通材側被覆部とを備えて形成され、前記パネル材側被覆部と前記挿通材側被覆部の孔に前記挿通材を挿通して前記取合部を被覆するように構成されており、略半環状の前記パネル材側被覆部と略半環状の前記挿通材側被覆部からなる一対の外装材片に分割可能に形成され、且つ、前記一対の外装材片を環状に呈するように組み付けつつ前記孔に前記挿通材を挿通させるように配設した状態で、互いに係合させて前記一対の外装材片の端部同士を接続するための係合部及び／又は係合受部が前記各外装材片の前記パネル材側被覆部の端部に設けられ、前記孔の中心軸方向一端側で前記パネル材側被覆部側の一方の開口の面積が前記中心軸方向他側で前記挿通材側被覆部側の他方の開口の面積よりも大きく形成されるとともに、前記他方の開口が前記挿通材の断面視で外周縁によって囲まれた領域の面積と略同等の面積を備えるように形成され、且つ、一方の前記外装材片の前記挿通材側被覆部の内面には、前記パネル材の前記挿通材に対する交差角度に応じ、前記一方の開口側から前記他方の開口側に向かうに従い漸次中心軸線に近づくように傾斜する傾斜面が設けられ、前記挿通材が円柱棒状に形成されており、前記孔の一方の開口が半円同士を所定の長さの直線で結んだ形の長孔状に形成されるとともに、前記直線を備えることによって少なくとも前記一方の外装材片の前記挿通材側被覆部の両端部側に互いに対向する一対の平面部が形成され、且つ、前記一対の平面部の間隔を前記挿通材の外径と略同等にして形成されていることを特徴とする。
【００１４】
この発明においては、外装材がパネル材側被覆部と挿通材側被覆部を備えて環状（略筒状）に形成され、これらパネル材側被覆部と挿通材側被覆部の孔（挿通孔）に挿通材を挿通して所定位置に配置すると、パネル材側被覆部と挿通材側被覆部でパネル材の貫通孔と挿通材の取合部を被覆することができ、この取合部の見栄えをよくすることができる。
【００１６】
この発明においては、略半環状のパネル材側被覆部と略半環状の挿通材側被覆部からなる一対の外装材片に分割可能に形成されているため、一方の外装材片をその略半割の孔に挿通材を嵌め込むように設置し、他方の外装材片をその半割の孔に挿通材を嵌め込むように設置し、これら一方の外装材片と他方の外装材片の端部に設けられた互いの係合部と係合受部を係合させることで、孔に挿通材を挿通した状態で一対の外装材片を一体に接続することができる。
そして、パネル材側被覆部をパネル材の一面に当接させ、挿通材側被覆部を挿通材の外面に固着することによって、容易にパネル材側被覆部と挿通材側被覆部でパネル材の貫通孔と挿通材の取合部を被覆することができ、この取合部の見栄えをよくすることができる。
この発明においては、例えばパネル材が傾斜している場合に、このパネル材の傾斜角度に応じた傾斜角度の傾斜面を一方の外装材片の挿通材側被覆部の内面に形成しておくと、一方の外装材片をその略半割の孔に挿通材を嵌め込むように設置し、他方の外装材片をその半割の孔に挿通材を嵌め込むように設置し、これら一方の外装材片と他方の外装材片の端部に設けられた互いの係合部と係合受部を係合させた状態で、一方の外装材片の挿通材側被覆部の内面の傾斜面が挿通材の外面から離れた状態でこれら一対の外装材片が取り付けられる。
そして、このように一対の外装材片を一体に取り付けた段階で、一方の外装材片の挿通材側被覆部の内面の傾斜面を挿通材の外面に接触させるように外装材を傾動させると、パネル材側被覆部がパネル材の一面に沿うように傾斜する。これにより、パネル材側被覆部を確実にパネル材の一面に沿うように配設できる。よって、パネル材が傾斜している場合であっても、好適にパネル材の貫通孔と挿通材の取合部を被覆することができ、この取合部の見栄えをよくすることができる。
また、外装材の孔の一方の開口が半円同士を所定の長さの直線で結んだ形の長孔状に形成されるとともに、この直線を備えることによって少なくとも一方の外装材片の挿通材側被覆部の両端部側に互いに対向する一対の平面部が形成され、且つ、一対の平面部の間隔を円柱棒状の挿通材の外径と略同等にして形成されている。
これにより、円柱棒状の挿通材に一対の外装材片を取り付けた状態で、一方の外装材片の両端部側に互いに対向して形成された一対の平面部が挿通材の外面に線接触して当接し、挿通材をクランプ保持するような形で一対の外装材片を取り付けることができる。そして、一対の外装材片を一体に取り付け、一方の外装材片の挿通材側被覆部の内面の傾斜面を挿通材の外面に接触させるように外装材を傾動させるまでの間、また必要に応じてそれ以降も、一対の平面部が挿通材に当接して一対の外装材片を保持することができる。よって、外装材の取付時の操作性、作業性をよくすることができる。
【００１７】
さらに、本発明の外装材において、前記係合部は前記外装材片の端部から突出する係合片を備え、前記係合受部は前記外装材片の端部側に形成され、前記係合片を挿通させる係合受孔を備え、且つ、前記係合部及び前記係合受部には、前記係合受孔に前記係合片を挿通し、前記一対の外装材片を環状を呈するように一体に組み付けるとともに、互いに係止し合う係止部と係止受部を備えて形成されていることがより望ましい。
【００１８】
この発明においては、一対の外装材片の端部同士の係合部と係合受部を係合させて取り付けるとともに、各係合部、係合受部に設けられた係止部と係止受部同士も係合し、一対の外装材片の端部同士を係止部と係止受部同士で係止することができる。これにより、一対の外装材片の端部同士を強固に接続することが可能になるとともに、係止部と係止受部の係止状態を解除することで容易に一対の外装材片の接続状態を解除することも可能になる。
【００３０】
さらに、本発明の外装材においては、前記挿通材の大きさに応じた切断指標が設けられており、前記切断指標を指標にして切断することにより前記孔の大きさを前記挿通材の大きさに自在に合わせられるように構成されていることがより望ましい。
【００３１】
例えば挿通材が竪樋の場合、一般に住宅などに直径６０ｍｍと７５ｍｍの竪樋が多用されている。これに対し、直径６０ｍｍに取り付けて好適な状態の外装材を切断指標で切断することにより、下端側の開口部の大きさを大きくすることができ、直径７５ｍｍに取り付けて好適な外装材にすることができる。
このように、この発明においては、挿通材の大きさに応じた切断指標が設けられ、この切断指標に応じて切断するだけで挿通材の大きさに容易に対応することが可能になる。
【００３６】
本発明のパネル材と挿通材の取合部の施工方法は、パネル材に貫通孔を貫通形成する貫通孔形成工程と、挿通材を前記貫通孔に挿通する挿通材設置工程と、前記パネル材の一方の面側の前記パネル材と前記挿通材の取合部をシーリング処理して、前記貫通孔の周端部と前記挿通材の外面の間の隙間を閉塞させるシーリング処理工程と、上記のいずれかの外装材を取り付けて、前記パネル材の他方の面側の取合部を被覆する外装材設置工程とを備えていることを特徴とする。
【００３７】
本発明のパネル材と挿通材の取合部構造は、パネル材に貫通形成された貫通孔に挿通材を挿通してなる前記貫通孔と前記挿通材の取合部の構造であって、前記パネル材の他面側の取合部の前記貫通孔の周端部と前記挿通材の外面の間の隙間を閉塞させるシーリング部と、前記パネル材の一面側の取合部を被覆する上記のいずれかの外装材とを備えて構成されていることを特徴とする。
【００３８】
本発明の建物外部構築物は、複数の支柱と、前記支柱の上端部に接続して架設される梁と、前記支柱及び前記梁に支持され、格子状に組み付けられる母屋及び垂木と、前記垂木に支持されて屋根面を形成するパネル材とを備え、建物本体の外部に設けられる建物外部構築物であって、前記パネル材に貫通形成された貫通孔に挿通材が挿通され、前記貫通孔と前記挿通材の取合部に上記のいずれかの外装材を取り付け、該外装材によって前記取合部を被覆して構成されていることを特徴とする。
【００３９】
これらパネル材と挿通材の取合部の施工方法、パネル材と挿通材の取合部構造、建物外部構築物においては、上記のいずれかに記載の外装材による作用効果を得ることができる。
【発明の効果】
【００４０】
本発明の外装材、及びパネル材と挿通材の取合部の施工方法、パネル材と挿通材の取合部構造、建物外部構築物においては、略環状の外装材を取り付けることによって、パネル材の貫通孔と、この貫通孔に挿通して設けられる挿通材の取合部を好適に被覆することができ、この取合部の見栄えをよくすることができる。
【図面の簡単な説明】
【００４１】
【図１】本発明の第１、第２実施形態に係る建物外部構築物を示す斜視図である。
【図２】本発明の第１、第２実施形態に係るパネル材と挿通材の取合部構造を示す下方からの斜視図である。
【図３】本発明の第１実施形態に係るパネル材と挿通材の取合部構造を示す下方からの斜視図である。
【図４】本発明の第１実施形態に係る外装材を示す分解斜視図である。
【図５】本発明の第１実施形態に係る外装材の外装材片を示す上方からの斜視図である。
【図６】本発明の第１実施形態に係る外装材の外装材片を示す下方からの斜視図である。
【図７】本発明の第１実施形態に係る外装材の係合部、係合受部を示す図である。
【図８】本発明の第１実施形態に係るパネル材と挿通材の取合部構造を示す縦断面図である。
【図９】本発明の第１実施形態に係る外装材の一方の外装材片を竪樋に取り付けた状態を示す図である。
【図１０】本発明の第１実施形態に係る外装材の一方の外装材片と他方の外装材片の係合部と係合受部を係合させている状態を示す図である。
【図１１】本発明の第１実施形態に係る外装材の一方の外装材片と他方の外装材片を接続した状態を示す図である。
【図１２】本発明の第１実施形態に係る外装材の一方の外装材片と他方の外装材片を接続した後、上方にスライド移動している状態を示す図である。
【図１３】本発明の第２実施形態に係るパネル材と挿通材の取合部構造を示す図である。
【図１４】本発明の第２実施形態に係る外装材を示す図である。
【図１５】本発明の第２実施形態に係る外装材の変更例を示す図である。
【図１６】従来のパネル材と挿通材の取合部構造を示す下方からの斜視図である。
【発明を実施するための形態】
【００４２】
以下、図１から図１２を参照し、本発明の第一実施形態に係る外装材、及びパネル材と挿通材の取合部の施工方法、パネル材と挿通材の取合部構造、建物外部構築物について説明する。
ここで、本実施形態は、オープンテラスなどの建物外部構築物の屋根部を構成する屋根パネルと雨樋の竪樋の取合部に取り付ける外装材、及びこの取合部の構造、施工方法、並びに建物外部構築物に関するものである。
【００４３】
まず、本実施形態の建物外部構築物Ａは、例えば、テラスやカーポートなどであり、図１に示すように、住宅や店舗などの建物本体Ｔの外壁Ｔ１との間に所定の間隔をあけて、且つ外壁Ｔ１に沿う横方向Ｓ２にも所定の間隔をあけて立設される複数の支柱１と、複数の支柱１の上端部に接続して架設される桁梁２と、これら支柱１と桁梁２で支持される屋根部３とを備えて構成されている。
【００４４】
屋根部３は、建物本体Ｔの外壁Ｔ１に水平に設置される垂木掛け４と、垂木掛け４に後端を接続し、桁梁２に支持させて外壁Ｔ１から前方に突設されるとともに、外壁Ｔ１に沿う横方向Ｓ２に所定の間隔をあけて並設される複数の垂木５と、垂木５に支持されて屋根面を形成する屋根パネル（パネル材）６とを備えている。
【００４５】
一方、本実施形態では、図１及び図２に示すように、住宅や店舗などの建物本体Ｔの外壁Ｔ１に取り付けられた雨樋の竪樋（断面円形、円柱棒状の挿通材）８と、新設の建物外部構築物Ａの屋根部３とが干渉する。このため、屋根パネル６に貫通孔９をあけ、この貫通孔９に竪樋８を通すようにして建物外部構築物Ａを構築する必要がある。
【００４６】
そして、本実施形態の屋根パネル６と竪樋８の取合部１０の構造（パネル材と挿通材の取合部構造）Ｂは、図２及び図３に示すように、屋根パネル６に貫通形成されて竪樋８を挿通する貫通孔９と、貫通孔９に竪樋８を挿通した状態で、屋根パネル６の上方（屋根パネル６の他面、表面側）から貫通孔９の周端部９ａと竪樋８の外面８ａとの間を塞ぐように施工されるシーリング部１１と、屋根パネル６より下方の竪樋８に該竪樋８を囲繞するように取り付けられ、貫通孔９と竪樋８の取合部１０を下方（屋根パネル６の一面、裏面側）から被覆する外装材１２とを備えて構成されている。
【００４７】
本実施形態の外装材１２は、例えば樹脂製、金属製などであり、図３から図６に示すように、屋根パネル６の一面（裏面）に当接する略円環平板状のパネル材側被覆部１３と、パネル材側被覆部１３の内周側に一端を繋げ下方に突設（パネル材側被覆部１３と交差する方向に突設）されるとともにパネル材側被覆部１３の内周に沿って延設された略円環状で略円筒状の挿通材側被覆部１４とを備えて形成されている。
【００４８】
さらに、本実施形態の外装材１２は、略半円環平板状のパネル材側被覆部１３と略半円環状で略半円筒状の挿通材側被覆部１４からなる一対の外装材片１５、１６に分割可能に形成されている。また、各外装材片１５、１６は、両端部１５ａ、１６ａに、一対の外装材片１５、１６を環状を呈するように組み付けた状態で互いに係合させて一対の外装材片１５、１６の端部１５ａ、１６ａ同士を接続するための係合部１８及び（又は）係合受部１９を設けて形成されている。
【００４９】
また、図３から図７に示すように、この外装材１２の係合部１８は外装材片１５、１６の端部１５ａ、１６ａから突出する係合片２０を備え、係合受部１９は外装材片１５、１６の端部１５ａ、１６ａに形成され、係合片２０を挿通して係合させる係合受孔２１を備えて構成されている。さらに、係合部１８及び係合受部１９には、係合受孔２１に係合片２０を挿通し、一対の外装材片１５、１６を一体に組み付けるとともに、互いに係止し合う係止部２２と係止受部２３が設けられている。
【００５０】
なお、これら係合受部１９と係合部１８は、端部１５ａ、１６ａ同士を着脱可能に係合させて接続することが可能であれば、他の構成であってもよい。
【００５１】
また、図３から図６、図８に示すように、本実施形態の外装材１２においては、中心孔（孔、挿通孔）２５の中心軸Ｏ１方向一端側でパネル材側被覆部１３側の一方の開口２６の面積が中心軸Ｏ１方向他側で挿通材側被覆部１４側の他方の開口２７の面積よりも大きく形成されている。さらに、他方の開口２７が竪樋８の断面視で外周縁（外面８ａ）によって囲まれた領域の面積と略同等の面積を備えるように形成され、且つ、少なくとも一方の外装材片１５の挿通材側被覆部１４の内面には、屋根パネル６の傾斜角度（屋根パネル６の竪樋８に対する交差角度）に応じ、一方の開口２６側から他方の開口２７側に向かうに従い漸次中心軸Ｏ１に近づくように傾斜する傾斜面２８が設けられている。
【００５２】
そして、本実施形態では、この傾斜面２８が竪樋８の外面８ａに固着し、外装材１２を所定位置で固定するための固定部とされている。
【００５３】
また、図４から図６、図８に示すように、本実施形態の外装材１２では、竪樋８が円柱棒状であることに対応し、中心孔２５の一方の開口２６が半円同士を所定の長さの直線Ｒで結んだ形の長孔状に形成されている。さらに、前記直線Ｒを備えることによって少なくとも一方の外装材片１５の挿通材側被覆部１４の両端部１５ａ側に互いに対向する一対の平面部３０が形成されている。また、これら一対の平面部３０の間隔を竪樋８の外径と略同等にして形成されている。
【００５４】
そして、上記のように構成した本実施形態の外装材１２は、図３及び図８に示すように、パネル材側被覆部１３と挿通材側被覆部１４の中心孔２５に竪樋８を挿通し、パネル材側被覆部１３を屋根パネル６の一面に当接させつつ挿通材側被覆部１４を竪樋８に固着して配設される。
【００５５】
これにより、外装材１２がパネル材側被覆部１３と挿通材側被覆部１４を備えて環状（略筒状）に形成され、中心孔２５に竪樋８を挿通しつつ、パネル材側被覆部１３を屋根パネル６の一面（下面）に当接させ、挿通材側被覆部１４を竪樋８の外面に固着すると、これらパネル材側被覆部１３と挿通材側被覆部１４で屋根パネル６の貫通孔９と竪樋８の取合部１０を被覆することができ、この取合部１０の見栄えをよくすることができる。
【００５６】
また、略半環状のパネル材側被覆部１３と略半環状の挿通材側被覆部１４からなる一対の外装材片１５、１６に分割可能に形成されている。このため、図９に示すように、一方の外装材片１５（１６）をその略半割の中心孔２５に竪樋８の半分を嵌め込むように設置し、他方の外装材片１６（１５）をその半割の中心孔２５に竪樋８の逆の半分を嵌め込むように設置し、図１０、図１１に示すように、これら一方の外装材片１５（１６）と他方の外装材片１６（１５）の端部１５ａ、１６ａに設けられた互いの係合部１８と係合受部１９を係合させることで、中心孔２５に竪樋８を挿通した状態で一対の外装材片１５、１６を一体に接続することができる。
【００５７】
このとき、係合部１８、係合受部１９は互いに係合させて一対の外装材片１５、１６の端部１５ａ、１６ａ同士を接続した状態で外装材１２のパネル材側被覆部１３の上面と下面が略面一になるように形成されている。
【００５８】
また、図１２に示すように外装材１２を上方にスライド移動させ、図３に示すようにパネル材側被覆部１３を屋根パネル６の一面に当接させ、挿通材側被覆部１４を竪樋８の外面８ａに固着することによって、容易にパネル材側被覆部１３と挿通材側被覆部１４で屋根パネル６の貫通孔９と竪樋８の取合部１０を被覆することができ、この取合部１０の見栄えをよくすることができる。
【００５９】
さらに、一対の外装材片１５、１６の端部１５ａ、１６ａ同士の係合部１８と係合受部１９を係合させて取り付けるとともに、各係合部１８、係合受部１９に設けられた係止部２２と係止受部２３同士も係合し、一対の外装材片１５、１６の端部１５ａ、１６ａ同士を係止部２２と係止受部２３同士で係止することができる。これにより、一対の外装材片１５、１６の端部１５ａ、１６ａ同士を強固に接続することが可能になる。また、係止部２２と係止受部２３の係止状態を解除することで容易に一対の外装材片１５、１６の接続状態を解除することが可能になる。
【００６０】
さらに、図８に示すように、屋根パネル６の傾斜角度に応じた傾斜角度の傾斜面２８を少なくとも一方の外装材片１５の挿通材側被覆部１４の内面に形成しておくと、一方の外装材片１５をその略半割の中心孔２５に竪樋８を嵌め込むように設置し、他方の外装材片１６をその半割の中心孔２５に竪樋８を嵌め込むように設置し、これら一方の外装材片１５と他方の外装材片１６の端部１５ａ、１６ａに設けられた互いの係合部１８と係合受部１９を係合させた状態で、一方の外装材片１５の挿通材側被覆部１４の内面の傾斜面２８が竪樋８の外面８ａから離れている。
【００６１】
そして、このように一対の外装材片１５、１６を一体に取り付けた段階で上方の所定位置までスライド移動させ、一方の外装材片１５の挿通材側被覆部１４の内面の傾斜面２８を竪樋８の外面８ａに接触させるように外装材１２を傾動させると、パネル材側被覆部１３が屋根パネル６の一面に沿うように傾斜する。
【００６２】
これにより、パネル材側被覆部１３を確実に屋根パネル６の一面にそって配設し、屋根パネル６の一面に面接触させることができる。このため、一方の外装材片１５の挿通材側被覆部１４の内面の傾斜面（固定部）２８を竪樋８の外面８ａに接着するなどして固着することで、屋根パネル６が傾斜している場合であっても、好適に屋根パネル６の貫通孔９と竪樋８の取合部１０を被覆することができ、この取合部１０の見栄えをよくすることができる。
【００６３】
さらに、外装材１２の中心孔２５の一方の開口２６が半円同士を所定の長さの直線Ｒで結んだ形の長孔状に形成されるとともに、この直線Ｒを備えることによって少なくとも一方の外装材片１５（１６）の挿通材側被覆部１４の両端部１５ａ（１６ａ）側に互いに対向する一対の平面部３０が形成され、且つ、一対の平面部３０の間隔を円柱棒状の竪樋８の外径と略同等にして形成されている。
【００６４】
これにより、円柱棒状の竪樋８に一対の外装材片１５、１６を取り付けた状態で、一方の外装材片１５の両端部１５ａ側に互いに対向して形成された一対の平面部３０が竪樋８の外面８ａに当接（線接触して当接）し、竪樋８をクランプ保持するような形で一対の外装材片１５、１６を取り付けることができる。
【００６５】
そして、一対の外装材片１５、１６を一体に取り付け、一方の外装材片１５の挿通材側被覆部１４の内面の傾斜面２８を竪樋８の外面８ａに接触させるように外装材１２を傾動させて傾斜面（固定部）２８を竪樋８の外面８ａに固着するまでの間、またはそれ以降も、一対の平面部３０が竪樋８に当接して外装材１２を保持することができる。よって、外装材１２の取付時の操作性、作業性をよくすることができる。
【００６６】
次に、このような外装材１２を用いて取合部１０を施工する際には（本実施形態のパネル材と挿通材の取合部の施工方法においては）、屋根パネル６に貫通孔９を貫通形成し（貫通孔形成工程）、竪樋８を貫通孔９に挿通して設置する（挿通材設置工程）。また、屋根パネル６と竪樋８の屋根パネル６の他面（上面）側の取合部１０をシーリング処理して、貫通孔９の周端部９ａと竪樋８の外面８ａの間の隙間を閉塞させる（シーリング処理工程）。そして、上記のように構成した外装材１２を竪樋８に取り付け、上端が屋根パネル６の一面に当接（または近接）するように上方にスライド移動させて、屋根パネル６と竪樋８の屋根パネル６の一面側の取合部１０を被覆する（外装材設置工程）。
これにより、屋根パネル６と竪樋８の取合部１０が外装材１２で被覆されて隠れ、大幅に見栄えが向上することになる。
なお、貫通孔９は予め貫通形成して設けられていてもよい。
【００６７】
したがって、本実施形態の外装材１２、及びパネル材と挿通材の取合部の施工方法、パネル材と挿通材の取合部構造Ｂ、建物外部構築物Ａにおいては、略環状を呈する外装材１２を取り付けることによって屋根パネル６の下面側に露出する屋根パネル６と竪樋８の取合部１０を被覆することができ、この取合部１０の見栄えをよくすることができる。
【００６８】
また、屋根パネル６に貫通形成した貫通孔９の周端部９ａと竪樋８の外面８ａの間の隙間が大きくなってしまった場合であっても、外装材１２によってこの隙間（取合部１０）を確実に被覆することができる。よって、さらに確実に取合部１０の見栄えをよくすることができる。
【００６９】
以上、本発明に係る外装材、パネル材と挿通材の取合部の施工方法、パネル材と挿通材の取合部構造、建物外部構築物の第１実施形態について説明したが、本発明は上記の第１実施形態に限定されるものではなく、その趣旨を逸脱しない範囲で適宜変更可能である。
【００７０】
例えば、本実施形態では、パネル材が屋根パネル６、挿通材が竪樋８であるものとして説明を行ったが、パネル材を貫通して挿通材を設置しこれらの取合部１０の見栄えを外装材１２によってよくすることが可能であれば、あらゆるパネル材と挿通材の取合部１０に本発明を適用することが可能である。よって、パネル材、挿通材を本実施形態のように限定する必要はない。
【００７１】
また、挿通材を竪樋８としたため、挿通材がパネル材を上下方向に貫通し、パネル材の下面（一面）側に外装材を取り付けるものとして説明を行ったが、挿通材がパネル材を横方向に貫通する取合部１０に対しても勿論本発明に係る外装材１２を適用することができる。また、挿通材がホースのようなフレキシブルなものであってもよい。このような場合であっても、本実施形態と同様の作用効果を得ることが可能である。
【００７２】
さらに、挿通材は断面円形に形成されている必要はなく、例えば断面方形状、多角形状などであってもよく、この挿通材の形状に応じて外装材１２の形状（特に中心孔２５の形状）を調整すれば、本実施形態と同様の作用効果を得ることが可能である。
【００７３】
また、本実施形態では、外装材１２の傾斜面２８が接着剤などで挿通材の竪樋８に固着する固着部であるものとして説明を行ったが、必ずしも傾斜面２８を挿通材８に固着してなくてもよい。そして、固着部として活用しない場合であっても、この傾斜面２８を挿通材８の外面８ａに沿うように配設する（あるいは接触するように配設する）ことで、パネル材の屋根パネル６の傾斜角度に対応して容易に外装材１２を設置でき、確実に取合部１０を被覆できるという作用効果を奏功する。
【００７４】
また、本実施形態では、一方の外装材片１５の挿通材側被覆部１４の内面の傾斜面（固定部）２８を竪樋８の外面８ａに接着するなどして固着するものとしたが、例えば、挿通材側被覆部１４を挿通材（竪樋）８に固着するだけでなく、さらにパネル材側被覆部１３を離型紙のついた両面テープなどを用いて屋根パネル（パネル材）６に固定するようにしてもよい。このように複数個所で外装材１２を固定することによって、例えばパネル材側被覆部１３の固着部分が紫外線の照射、温湿度変化などによって経年劣化するような場合であっても、挿通材側被覆部１４が挿通材８に固着されていることで取合部１０の被覆状態を長期にわたって好適に保持することができる。
【００７５】
次に、図１、図２、図１３、図１４を参照し、本発明の第二実施形態に係る外装材、及びパネル材と挿通材の取合部の施工方法、パネル材と挿通材の取合部構造、建物外部構築物について説明する。
【００７６】
ここで、本実施形態は、第一実施形態と同様、オープンテラスなどの建物外部構築物Ａの屋根部３を構成する屋根パネル（パネル材）６と雨樋の竪樋（挿通材）８の取合部１０に取り付ける外装材、及びこの取合部の構造Ｂ、施工方法、並びに建物外部構築物Ａに関するものである。
一方、本実施形態では、第一実施形態に対して外装材の構成が異なる。よって、第一実施形態と同様の構成については同一符号を付し、その詳細な説明を省略する。
【００７７】
はじめに、本実施形態の屋根パネル６と竪樋８の取合部１０の構造（パネル材と挿通材の取合部構造）Ｂは、図１３に示すように、屋根パネル６に貫通形成されて竪樋８を挿通する貫通孔９と、貫通孔９に竪樋８を挿通した状態で、屋根パネル６の上方から貫通孔９の周端部９ａと竪樋８の外面８ａとの間を塞ぐように施工されるシーリング部１１と、屋根パネル６より下方の竪樋８に該竪樋８を囲繞するように取り付けられ、貫通孔９と竪樋８の取合部１０を下方から被覆する外装材３１とを備えて構成されている。
【００７８】
そして、本実施形態の外装材３１は、例えば樹脂製、金属製などであり、弾性変形可能に形成されている。また、本実施形態の外装材３１は、図１３、図１４に示すように、略環状（略筒状）を呈するように形成されるとともに、その外面３１ａが中心軸Ｏ１方向上端３１ｂから下端３１ｃに向かうに従い漸次中心軸Ｏ１側（内側）に傾斜する錐台状に形成されている。さらに、本実施形態の外装材３１は、板状に形成されるとともに、内面３１ｄも外面３１ａに沿って上端３１ｂから下端３１ｃに向かうに従い漸次中心軸Ｏ１側（内側）に傾斜して形成されている。
【００７９】
さらに、本実施形態では、竪樋８が円管状に形成されており、これに応じて外装材３１も略円錐台状に形成されている。また、本実施形態では、傾斜した屋根パネル６と竪樋８の取合部１０を外装材３１で被覆するため、外装材３１の上端が屋根パネル６の傾斜に合わせて斜めに傾斜して形成されている。これにより、本実施形態の外装材３１は、下端の開口が竪樋８の形状に合わせて円形状に形成され、上端の開口が竪樋８の形状及び屋根パネル６の傾斜に合わせて楕円形状に形成されている。
【００８０】
また、外装材３１は、一部が上端３１ｂから下端３１ｃまで切り欠かれて分離されている。これにより、この外装材３１は、両端部３１ｅ、３１ｆを近接させて環状を呈するように形成されている。また、一端部３１ｅ側と他端部３１ｆ側を離間させるように力を加えて弾性変形させ、これら両端部３１ｅ、３１ｆの間を通じて竪樋８を内部に差し込み、両端部３１ｅ、３１ｆ側を放して離間状態を解除すると、弾性変形していた状態から元の円錐台状に戻り、竪樋８を囲繞するように配設される。
【００８１】
さらに、外装材３１は、下端３１ｃ側の内径が竪樋８の外径と略同等の径寸法（下端３１ｃ側の開口部が竪樋８と略同等の大きさ）で形成されている。これにより、竪樋８を囲繞するように外装材３１を配設すると、下端３１ｃ側が竪樋８の外面８ａに密着してクランプするように取りつき、外装材３１が竪樋８に支持される。
【００８２】
さらに、本実施形態では、図１４に示すように、分離した両端部３１ｅ、３１ｆ側に係合受部３２と係合部３３がそれぞれ設けられ、これら係合受部３２に係合部３３を係合させることで両端部３１ｅ、３１ｆを接続し、外装材３１を円錐台の状態で保持できるように構成されている。
【００８３】
これら係合受部３２と係合部３３としては、係合孔とこれに係合する係合突起、互いに引っ掛かって係止される係止片などが挙げられる。なお、端部３１ｅ、３１ｆ同士を着脱可能に係合させて接続することが可能であれば、係合受部３２、係合部３３はあらゆる構成が採用可能である。
【００８４】
そして、図１３、図１４に示すように、このような外装材３１は、竪樋８を囲繞するように配設し、係合受部３２に係合部３３を係合させて下端３１ｃ側が竪樋８の外面８ａをクランプするように取りついた状態で、上端３１ｂが屋根パネル６の下面に当接（または近接）するまで上方にスライド移動させる。これにより、円錐台状の外装材３１が屋根パネル６の貫通孔９と竪樋８の取合部１０を下方から被覆する。よって、この取合部１０が外装材３１で被覆され、下方からの見栄えが向上する。
【００８５】
さらに、本実施形態の外装材３１は、内面３１ｄに、内面３１ｄから径方向内側に且つ上方に向けて突出する固着部３４が設けられている。また、本実施形態では、３つの固着部３４が周方向に等間隔で凸設されている。このような固着部３４を備えた場合には、円錐台状の外装材３１が屋根パネル６の貫通孔９の周端部９ａと竪樋８の外面８ａの取合部１０に下方からシーリング材（接着材）３５を塗布し、竪樋８に取り付けた外装材３１を上方にスライド移動させるとともに各固着部３４をシーリング材３５に接触させる。
【００８６】
これにより、シーリング材３５が硬化するとともにシーリング材３５に固着部３４が一体に接着して保持され、外装材３１が安定した状態で取合部１０を被覆する所定位置に設置される。
【００８７】
なお、固着部３４は、シーリング材３５に接触する先端に尖部や矢じり部、球形部などを備え、これら尖部、矢じり部、球形部などをシーリング材に食い込ませるように形成されていることが好ましい。この場合には、シーリング材３５に固着部３４が食い込むことでより確実に外装材３１を安定した状態で保持することができる。
また、上方を向く平面を備えて固着部３４を形成してもよく、この場合には、屋根パネル６の下面と固着部３４の平面の間にシーリング材３５を介在させ、平面を屋根パネル６に押し付けることにより、固着部３４を硬化したシーリング材３５によって接着することができる。これにより、確実に外装材３１を安定した状態で保持することができる。
【００８８】
また、本実施形態の外装材３１は、竪樋８の大きさに応じた切断指標３６が設けられ、切断指標３６に応じて切断することによって下端３１ｃ側の開口部の大きさが竪樋８の大きさに合うように構成されている。
【００８９】
すなわち、一般に住宅などに設置される竪樋８は、直径６０ｍｍと７５ｍｍのものが多用されている。これに対し、例えば直径６０ｍｍに取り付けて好適な状態の外装材３１を切断指標３６で切断することにより、下端３１ｃ側の開口部の大きさを大きくすることができ、直径７５ｍｍに取り付けて好適な外装材３１にすることができる。
【００９０】
例えば、略環状を呈する状態で外装材３１の外面３１ａに周方向に繋がる切断指標３６の溝部を予め設けておき、直径７５ｍｍの竪樋８に外装材３１を取り付ける際に、この溝部３６にハサミなどを切り込ませて外装材３１の下端３１ｃ側を切断する。これにより、略環状を呈する状態で下端３１ｃ側の開口部の直径が６０ｍｍ程度となるように形成された外装材３１を、下端３１ｃ側の開口部の直径が７５ｍｍ程度となるように容易に調節することができ、切断指標３６に応じて切断するだけで竪樋８の大きさに容易に対応することが可能になる。
【００９１】
そして、このような外装材３１を用いて取合部１０を施工する際には（本実施形態のパネル材と挿通材の取合部の施工方法においては）、屋根パネル６に貫通孔９を貫通形成し（貫通孔形成工程）、竪樋８を貫通孔９に挿通して設置する（挿通材設置工程）。また、屋根パネル６と竪樋８の屋根パネル６の上面側の取合部１０をシーリング処理して、貫通孔９の周端部９ａと竪樋８の外面８ａの間の隙間を閉塞させる（シーリング処理工程）。そして、上記のように構成した外装材３１を竪樋８に取り付け、上端３１ｂが屋根パネル６の下面に当接（または近接）するように上方にスライド移動させて、屋根パネル６と竪樋８の屋根パネル６の下面側の取合部１０を被覆する（外装材設置工程）。
これにより、屋根パネル６と竪樋８の取合部１０が外装材３１で被覆されて隠れ、大幅に見栄えが向上することになる。
【００９２】
したがって、本実施形態の外装材３１、及びパネル材と挿通材の取合部の施工方法、並びにパネル材と挿通材の取合部構造Ｂ、建物外部構築物においては、両端部３１ｅ、３１ｆが近接して略環状を呈する外装材３１を取り付けることによって屋根パネル６の下面側に露出する屋根パネル６と竪樋８の取合部１０を被覆することができ、この取合部１０の見栄えをよくすることができる。
【００９３】
また、屋根パネル６に貫通形成した貫通孔９の周端部９ａと竪樋８の外面８ａの間の隙間が大きくなってしまった場合であっても、外装材３１によってこの隙間（取合部１０）を確実に被覆することができる。よって、さらに確実に取合部１０の見栄えをよくすることができる。
【００９４】
また、外装材３１が錐台状に形成されていることにより、外観上、屋根パネル６の下面と竪樋８の外面８ａを外装材３１の傾斜する外面３１ａで繋ぐことができ、外装材３１を設置した際の納まりをよくすることができるとともに、取合部１０の見栄えをさらによくすることができる。
【００９５】
さらに、竪樋８の大きさに応じた切断指標３６が設けられ、この切断指標３６に応じて切断するだけで竪樋８の大きさに外装材３１を容易に対応させることが可能になる。
【００９６】
また、両端部３１ｅ、３１ｆに設けられた係合受部３２と係合部３３を係合させることによって、両端部３１ｅ、３１ｆを接続するとともに略環状を呈する状態で外装材３１を保持することができる。これにより、屋根パネル６の下面側に露出する取合部１０を被覆するように設置した状態を確実に保持でき、長期にわたり安定した状態で取合部１０の見栄えをよくすることができる。
【００９７】
さらに、外装材３１を取合部１０に設置するとともに、取合部１０及び／又は屋根パネル６の下面に塗布したシーリング材（接着剤）３５に固着部３４を接触させて固着させることにより、外装材３１を取合部１０に固定して保持することができる。これにより、屋根パネル６の下面側に露出する取合部１０を被覆するように設置した状態を確実に保持でき、長期にわたり安定した状態で取合部１０の見栄えをよくすることができる。
【００９８】
以上、本発明に係る外装材、パネル材と挿通材の取合部の施工方法、パネル材と挿通材の取合部構造、建物外部構築物の第２実施形態について説明したが、第１実施形態の変更例を含め、本発明は上記の第２実施形態に限定されるものではなく、その趣旨を逸脱しない範囲で適宜変更可能である。
【００９９】
例えば、本実施形態では、パネル材が屋根パネル６、挿通材が竪樋８であるものとして説明を行ったが、パネル材を貫通して挿通材を設置しこれらの取合部１０の見栄えを外装材３１によってよくすることが可能であれば、あらゆるパネル材と挿通材の取合部１０に本発明を適用することが可能である。すなわち、パネル材、挿通材を本実施形態のように限定する必要はない。
【０１００】
また、外装材３１は、内面３１ｄ（や外面３１ａ）が傾斜面として形成されていなくてもよい。例えば図１５に示すように、上下方向に沿うように内面３１ｄを形成し、ブロック状に外装材３１を形成してもよい。この場合には、上端３１ｂを接着剤でパネル材６や挿通材８に固着させてもよく、さらに両面テープを用いて上端３１ｂを固着させてもよい。
また、図１５に示すように、取合部１０に好適に保持することが可能であれば、係合部３３、係合受部３２がなくてもよい。
【０１０１】
また、本実施形態では、円管状の竪樋（挿通材）８に外装材３１を取り付けるため、外装材３１が円錐台状（略円環状）に形成されているものとしたが、勿論、挿通材８が断面四角形状などの多角形状であってもよく、これに応じて外装材３１が角環状（角錐台状など）として構成されていてもよい。
【０１０２】
さらに、本実施形態では、外装材３１に設けられる切断指標３６が溝部であるものとしたが、切断位置を特定することが可能であればよく、溝部に限らず、あらゆる手段によって切断指標３６を構成してもよい。
【０１０３】
また、外装材３１は、元々略環状を呈するように形成されていても、両端部３１ｅ、３１ｆを接続することによって略環状を呈するように構成されていても構わない。
【０１０４】
また、第１実施形態と第２実施形態の外装材の構成を適宜選択的に組み合わせるなどして本発明に係る外装材を実現しても勿論構わない。
【符号の説明】
【０１０５】
１      支柱
２      桁梁
３      屋根部
４      垂木掛け
５      垂木
６      屋根パネル（パネル材）
７      母屋
８      竪樋（挿通材）
８ａ    外面
９      貫通孔
９ａ    周端部
１０    取合部
１１    シーリング材（シーリング部／接着剤）
１２    外装材
１３    パネル材側被覆部
１４    挿通材側被覆部
１５    外装材片
１５ａ  端部
１６    外装材片
１６ａ  端部
１８    係合部
１９    係合受部
２０    係合片
２１    係合受孔
２２    係止部
２３    係止受部
２５    中心孔（孔、挿通孔）
２６    一方の開口
２７    他方の開口
２８    傾斜面（固定部）
３０    平面部
３１    外装材
３１ａ  外面
３１ｂ  上端
３１ｃ  下端
３１ｄ  内面
３１ｅ  端部
３１ｆ  端部
３２    係合受部
３３    係合部
３４    固着部
３５    シーリング材（接着剤）
３６    切断指標
Ａ      建物外部構築物
Ｂ      パネル材と挿通材の取合部構造
Ｏ１    中心軸
Ｒ      直線
Ｓ１    前後方向
Ｓ２    横方向
Ｔ      建物本体
Ｔ１    外壁
【図１】
0006527367.tif 000002
【図２】
0006527367.tif 000003
【図３】
0006527367.tif 000004
【図４】
0006527367.tif 000005
【図５】
0006527367.tif 000006
【図６】
0006527367.tif 000007
【図７】
0006527367.tif 000008
【図８】
0006527367.tif 000009
【図９】
0006527367.tif 000010
【図１０】
0006527367.tif 000011
【図１１】
0006527367.tif 000012
【図１２】
0006527367.tif 000013
【図１３】
0006527367.tif 000014
【図１４】
0006527367.tif 000015
【図１５】
0006527367.tif 000016
【図１６】
0006527367.tif 000017